(57)【要約】【課題】ドライフラワーや造花、人形、木の実、石、パール、籐製品等の装飾品などの色を保存したり、形を出来るだけ長期に保ったりするために、容器の内部に収納して飾り、室内の飾る場所や、置き方の多様性を持たせたインテリア用品を提供する。【解決手段】二枚の透明もしくは半透明な板と、平面または曲面等の組み合わせから空間を構成してなる置物状の空間内側に装飾品を固定する。【選択図】        図３
0003123843.tif 000002
【実用新案登録請求の範囲】
【請求項１】
少なくとも１枚が透明もしくは半透明の同一サイズで且つ同一形状の２枚の板１，２を平行に置き、この２枚の板１，２を垂直に立てた時に２枚の板の間に形成される空間３が密封されるように、曲面もしくは多面体、もしくは曲面と平面などを組み合わせた面で構成されるように設けたインテリア用品であって、空間３の内部に装飾品４を固定する様に取り付けた事を特徴とするインテリア用品。
【請求項２】
請求項１において、設けられる空間３が曲面もしくは多面体もしくは曲面と平面を組み合わせた面の一部が切り欠かれて、空間３が密封されずに一部が開放されている事を特徴とするインテリア用品。
【考案の詳細な説明】
【技術分野】
【０００１】
この考案はそのまま置く事が不適当な造花や宝飾品等を内部に収納して、棚やテーブル等の任意の場所に置いたり壁掛け状につるしたりして楽しめるインテリア容器に関する
【背景技術】
【０００２】
従来の容器型インテリア用品はいわゆる花瓶の内部に装飾品を入れただけであったり、単純な形のものが多く一ヶ所だけに蓋をするという単調な形のものであって、デザイン性のすぐれたものはほとんどなかった。
【０００３】
【特許文献１】なし
【考案の開示】
【考案が解決しようとする課題】
【０００４】
本考案は、容器そのものがデザイン性にすぐれ、かつ安定していて内部に収納している装飾品をよりきれいに効果的に見せる為に、置き方の工夫やかけ方を工夫するなどによって同一のインテリア容器が多様に使用できるようにしたものである。
【課題を解決するための手段】
【０００５】
この考案は、従来のガラスの容器形状とは違って２枚の板を表面と裏面に平行に配置して該２面に挟まれる間（内部）に空間３を作り出すようにして、密閉するか或いは一部が開放される様に空間３を作り出した容器状であるので、表面や背面いずれの側から見た時にも位置がずれないように、装飾品が収まるように配置する事が重要である。本考案に用いる２枚の板の形は、多角形、四角形、丸型、曲線と直線の組合せなどの多様性を持たせることが出来、それらを組み合わせる事により、数限りなく多様な意匠の容器が出来るように工夫したものである。
【０００６】
たとえば透明な同一の八角形のガラスの板の間に、丸い円筒状のガラスを挟んだ容器を作り机の上に載置出来るようにする。これは空間３が密封されたものとなるので、丸い円筒状のガラスの縁になる部分（円筒の上面と下面）は研磨して表面を滑らかにしたものを用いる。
【０００７】
空間３は密閉されているので、内部に飾る花は汚れずらいので、開放空間のものより長期に保存することが出来る。
【０００８】
２枚の同一形状の板の材質は、少なくともその１枚がプラスチック、ガラス、その他の透明若しくは半透明のものが使える。又外観の多様性を持たせる為に、表面に凹凸の模様をつけたり、印刷を施したり、或いは着色が施されているものなども使用できる。
【０００９】
さらに、同一形状からなる２枚の板の形は、丸型、ひし形、四角、八角、五角などの多角形、曲線を帯びた形など、いかなる形状であっても用いることができる。
【００１０】
空間３の内部に挿入される装飾品の材料としては、ドライフラワーや造花などや、リボン、石、木の実、人形、工芸品など装飾性の高いものを任意に用いることができる。特に空間３が密閉空間である場合には、水分を含んでいないもののほうが好ましい。
【００１１】
空間３の一部が切り欠いた容器である場合は、ホコリをかぶる事は避けられないが、生の花も含めて、装飾品を空間３の内部を容器代わりとして取り付けることができ、又空間３の外部をも利用して装飾品を飾りつけることができるので、デザインを多様化し得るものである。
【００１２】
又台座を空間３の内部に装着しても良く、該台座を設ける場合には、乾燥剤などの必要な機能を有する薬剤などを入れる為の空間を設けることも出来る。
【考案の効果】
【００１３】
従って本考案の装飾品は、インテリア用品として机の上や家具の上に載置することが出来、壁掛けとしても使用出来る。また、立てたり寝かせたりして使っても良い。
【考案を実施するための最良の形態】
【００１４】
以下、本考案を図示例に基づいて説明すると次の通りである。
本考案は、２枚の板においては多角形、丸型、半円形、半月形、扇形の形などが考えられる。それも少なくとも設置分の一部分が平行に固定され、また中の装飾部分も飾り付ける容器においては、丸型、箱型、多角形、曲線を帯びた四角形などがある。
【実施例１】
【００１５】
図３に示すように、八角形の透明な板１の内面になる側に内部に納める装飾品４を任意の方法で固定しておく。次に、同一形状の透明の材質からなる板２を平行に置き、板１に固定した装飾品が内部に納まるように、透明な円筒３を板１と板２それぞれに貼り合せて、内部に装飾品４を固定した密閉空間３をつくる。
【実施例２】
【００１６】
実施例１において、容器の中に花を挿すための花受台を装着し、該花受台の中には花を長期間保存できるように乾燥剤を花受け台の下側に取り付けた。
【実施例３】
【００１７】
図４に示すごとく、半月状で同じ大きさで同一形状の透明な板１、２の内側になる面に円筒の一部を切り欠いた形の曲面の板２枚の底部ｘを合わせて上部が開放するように貼り合せる。その形成される空間に装飾品を固定した。更に、半月状の板を安定して立たせる為にｘ部と板１、２底板ｙを接着し、自立できるようにした。
【実施例４】
【００１８】
図５に示すごとく、板１、２の上下の線は直線で縦になる部分線の両端の線が湾曲している同じ大きさの板１、２を平行に置き、それぞれの内側になる面に板４枚で構成される長方形の形３を密着させる。長方形３と板１、２とで形成される空間の内部に装飾品を固定する。また、板２の表面の両端にペイントや模様を加工することにより装飾として用いることができる。
【実施例５】
【００１９】
図６に示すごとく、三角形の同じ大きさの透明な板１、２を平行に置きそれぞれの内側になる面に透明な円筒３を介して密着させた立体をつくる。円筒３と板１、２とで形成される空間の内部に装飾品を固定する。ブックエンドとして用いられる。
【実施例６】
【００２０】
図７に示すごとく、相対する一方の両端は直線でもう一方の線はｓ字形の曲線で型取られている同じ大きさの板１、２の内側になる面に同じ外観を有していて、内部が密閉される様に四方向から４枚の板で密着された形３を密着させる。アレンジするバリエーションで縦にも横にも置くことができる。
【実施例７】
【００２１】
図８に示すごとくハートの形で同じ大きさの透明な板１、２を平行に置きそれぞれの内側になる面に透明な円筒３を介して密着させた立体をつくる。その空間内に装飾品を固定した。更に、ハートの板を安定して立たせる為に板２の底に２枚の小さい円形の板５，５を接着し自立できるようにした。
【実施例８】
【００２２】
図９に示すごとく、下の面が平面で上がアーチ状の形をした同じ大きさの同一形状の透明な板１、２の内側になる面に上部が開放されている。２枚の板が底部で接着されていて、立体の空間の中に装飾品を固定した。
【００２３】
これらの他にも、容器の一部のふたが開いているものでは、装飾品を容易に取り付けることが可能であるので様々な形状が考えられる。
【図面の簡単な説明】
【００２４】
【図１】本考案の一例を示すもので、内部に装飾品を入れないものの、斜視図を表す。
【図２】図１の側面図。
【図３】図１の内部に装飾品４としてドライフラワーを固定した完成品の一例。
【図４】板１，２が三日月形であり、空間部３が密閉されずに上部が開放された形状であり、空間部３の開放部が上部をに向いて安定して立つように板１，２の底部に反り橋状の底板５を設けた実施例の側面図。
【図５】直方体の３になる部分を板１，２の上下の線は直線であって、縦になる部分の線の両端の線が湾曲している板１，２で密閉する事によって出来る実施例であり、正面から見た図である。
【図６】直角三角形からなる板１，２の間に空間を作る円筒形３を挟み、密閉した実施例の正面図である。
【図７】板１，２が相対する一方の両端は直線で他方の線はＳ字形の曲線でかたどられている同じ大きさの板で外観を形成す直方体の容器を密閉して空間３を設けた実施例の正面図である。
【図８】板１，２が半月を合わせたハート状の形で、空間3が密閉された形状であり、ハート状の器が安定してたつように板２枚を底板５代わりに取り付けた実施例の正面図である。
【図９】板２枚のしたの面が平面で上がアーチ状の形をした板２枚の間に空間３が密閉されずに上部が開放された形状であり空間３の開放部が上を向いた安定して経つように板２枚を取り付けた実施例であり、正面図である。
【符号の説明】
【００２５】
１、２は透明な板。
３は透明な板１，２とともに内部に空間を作り出すための円筒。
４は、内部に固定される装飾品。
５は底板
【図１】
0003123843.tif 000003
【図２】
0003123843.tif 000004
【図３】
0003123843.tif 000005
【図４】
0003123843.tif 000006
【図５】
0003123843.tif 000007
【図６】
0003123843.tif 000008
【図７】
0003123843.tif 000009
【図８】
0003123843.tif 000010
【図９】
0003123843.tif 000011